(57)【要約】【課題】簡単かつ確実に電源周波数を判別する電源周波数判別システムを提供する。【解決手段】かかる課題を解決するために、本発明の電源周波数判別システムは、機器に電源供給される電源周波数を判別する電源周波数判別システムにおいて、（１）地域又は地点を特定する地域識別情報を電源周波数毎に分類した地域識別情報分類手段と、（２）電源供給される機器を設置する地域又は地点の地域識別情報に対応する電源周波数を地域識別情報分類手段から特定する電源周波数特定手段とを備えることを特徴とする。【選択図】      図１
2008060698.tif 000002
【特許請求の範囲】
【請求項１】
機器に電源供給される電源周波数を判別する電源周波数判別システムにおいて、
地域又は地点を特定する地域識別情報を電源周波数毎に分類した地域識別情報分類手段と、
電源供給される上記機器を設置する地域又は地点の地域識別情報に対応する電源周波数を上記地域識別情報分類手段から特定する電源周波数特定手段と
を備えることを特徴とする電源周波数判別システム。
【請求項２】
電源供給される電源周波数の影響を受けて、入力した画像フレームに生じたフリッカを除去するフリッカ除去装置において、
上記電源供給される電源周波数を判別する請求項１に記載の電源周波数判別システムに対応する電源周波数判別手段と、
上記電源周波数判別手段により判別された電源周波数に基づいてフリッカ成分を抽出する周波数を決定する周波数決定手段と、
上記周波数決定手段により決定された周波数の周波数成分を入力画像データから抽出するフリッカ周波数成分抽出手段と
を備えることを特徴とするフリッカ除去装置。
【発明の詳細な説明】
【技術分野】
【０００１】
本発明は、電源周波数判別システム及びフリッカ除去装置に関し、例えば、電源周波数を判定する電源周波数判別システムや、この電源周波数判別システムを有するフリッカ除去装置に適用し得る。
【背景技術】
【０００２】
日本では、商用電源として供給される電源電流の電源周波数は５０Ｈｚと６０Ｈｚの２種類あり、一般に、静岡県の富士川と新潟県の糸魚川とで結ぶ境界線から、東側が５０Ｈｚであり、西側が６０Ｈｚであるとされている。
【０００３】
海外では１国内で供給する電源周波数を５０Ｈｚ又は６０Ｈｚに統一するのが一般的であり、日本のように１国内に５０Ｈｚの地域と６０Ｈｚの地域とが混在している国は珍しく、日本の他の国としてはトルコ、サウジアラビア、アフガニスタンなどがある。
【０００４】
このように、電源周波数が５０Ｈｚの地域と６０Ｈｚの地域とで分かれているため、装置、機器等を使用する際、その使用地域に供給されている電源周波数を知る必要があり、装置、機器等の対応する電源周波数が異なっていると、装置、機器等の使用ができなかったり、電源周波数に合わせた設定が必要であったり、装置、機器等の性能に影響を及ぼしたりし得る。
【０００５】
そのため、装置、機器等を使用する際には、その使用地域に供給されている電源周波数を判別することが重要となる。
【０００６】
特許文献１には、商用電源周波数を判別する技術が開示されており、その内容は、ゼロクロス検出回路が商用交流電圧波形のゼロクロス点に応じた第１パルス信号を生成し、パルス信号生成回路が、第１パルス信号のエッジの出現位置を基準として、６０Ｈｚとしたときのゼロクロス発生時間間隔に相当する時間経過後に出力レベルを反転させ、かつ、５０Ｈｚとしたときのゼロクロス発生時間間隔に相当する時間経過後に出力レベルを反転させる第２パルス信号を生成する。そして、第１パルス信号をクロック信号として取り込むと共に、第２パルス信号を制御信号として取り込むフリップフロップ回路が、「Ｈ」レベルのクロック信号を読み込むと、５０Ｈｚの場合はリセット入力端子の「Ｌ」が優先するので常に「Ｌ」を出力し、６０Ｈｚの場合は常に「Ｈ」を出力することで、電源周波数を判別するというものである。
【０００７】
また、例えばＴＶ電話システム等で使用されるＴＶ電話機には被写体を撮像するカメラモジュール（例えば、ＣＭＯＳカメラモジュールなど）が搭載されており、例えば、蛍光灯の照明下で被写体を撮像すると、家庭用電源周波数に応じて点灯する蛍光灯の光量変化の周波数（電源周波数の２倍）とカメラモジュールの撮像周波数（垂直同期周波数）との違いによりフリッカが生じ、ＴＶ電話機が出力する画像にむらが生じ、画面が見にくくなることがある。
【０００８】
特許文献２には、フリッカが発生した入力映像信号を解析してフリッカ周波数を割り出し、そのフリッカ周波数を抽出する技術が開示されており、その内容は、ＮＴＳＣ方式の場合、判定用シャッター速度をＮ／１２０秒以外の速度に設定し、撮像素子からの映像信号から特定の周波数成分を抽出し、その特定の周波数成分のレベルが閾値より大きいとき電源周波数が５０Ｈｚと判定するものとする。また、判定用シャッター速度をＮ／１００秒以外の速度に設定し、撮像素子からの映像信号から特定の周波数成分を抽出し、その特定の周波数成分のレベルが閾値より大きいとき電源周波数が６０Ｈｚと判定するものとする。
【０００９】
【特許文献１】特開２００５−５５３９６号公報
【発明の開示】
【発明が解決しようとする課題】
【００１０】
上述のように、装置、機器等を使用する際、その使用地域に供給される電源周波数を判断することは非常に重要なことであり、その判断方法は簡単かつ確実であることが望ましい。
【００１１】
上述した特許文献１及び２の技術は、電源周波数を判別することができるが、その装置コストが高くなるという問題がある。そのため、よりコストを軽減した装置が望まれている。
【００１２】
また、例えばＴＶ電話機等によっては、その使用地域の電源周波数を手動で設定することにより、その電源周波数に応じたフリッカ周波数を除去する機能を搭載するものがあるが、利用者等が必ず手動で設定しなければならないので使い勝手が良くないという問題がある。
【００１３】
さらに、近年、ネットワークに接続する複数の家電製品間での情報通信が実現されようとしている中で、従来技術よりも簡単に電源周波数を判別することが望まれている。
【００１４】
そのため、簡単かつ確実に電源周波数を判別する電源周波数判別システム及び電源周波数判別システムが判別した電源周波数に基づいてフリッカ成分を除去することができるフリッカ除去装置が求められている。
【課題を解決するための手段】
【００１５】
かかる課題を解決するために、第１の本発明の電源周波数判別システムは、機器に電源供給される電源周波数を判別する電源周波数判別システムにおいて、（１）地域又は地点を特定する地域識別情報を電源周波数毎に分類した地域識別情報分類手段と、（２）電源供給される機器を設置する地域又は地点の地域識別情報に対応する電源周波数を地域識別情報分類手段から特定する電源周波数特定手段とを備えることを特徴とする。
【００１６】
第２の本発明のフリッカ除去装置は、電源供給される電源周波数の影響を受けて、入力した画像フレームに生じたフリッカを除去するフリッカ除去装置において、（１）電源供給される電源周波数を判別する第１の本発明の電源周波数判別システムに対応する電源周波数判別手段と、（２）電源周波数判別手段により判別された電源周波数に基づいてフリッカ成分を抽出する周波数を決定する周波数決定手段と、（３）周波数決定手段により決定された周波数の周波数成分を入力画像データから抽出するフリッカ周波数成分抽出手段とを備えることを特徴とする。
【発明の効果】
【００１７】
本発明の電源周波数判別システムによれば、地域又は地点を特定する地域識別情報を電源周波数毎に分類した地域識別情報分類手段と、電源供給される機器を設置する地域又は地点の地域識別情報に対応する電源周波数を地域識別情報分類手段から特定する電源周波数特定手段とを備えることにより、簡単かつ確実に電源周波数を判別することができる。
【００１８】
また、本発明のフリッカ除去装置によれば、電源周波数判別システムが判別した電源周波数に基づいて決定した周波数成分を入力画像データから抽出することにより、簡単にフリッカ成分を除去することができる。
【発明を実施するための最良の形態】
【００１９】
（Ａ）第１の実施形態
以下では、本発明の電源周波数判別システム及びフリッカ除去装置の第１の実施形態を図面を参照しながら説明する。
【００２０】
第１の実施形態では、カメラモジュールを搭載したＩＰ−ＴＶ電話機に、本発明の電源周波数判別システム及びフリッカ除去装置を設けた場合の適用を図面を参照しながら説明する。
【００２１】
（Ａ−１）第１の実施形態の構成
図１は、第１の実施形態のＩＰ−ＴＶ電話機が搭載する液晶表示装置周辺の主なハードウェア構成を示す構成図である。
【００２２】
図１において、第１の実施形態のＩＰ−ＴＶ電話機は、ＣＰＵ１、ワークメモリ２、ＲＯＭ等３、液晶表示制御手段４、液晶表示手段５、デジタル−アナログ制御手段６、インバータ７、カメラ制御手段８、カメラモジュール９、シリアルバスインターフェース１０、などを有して構成される。
【００２３】
ＣＰＵ１は、ＩＰ−ＴＶ電話機の機能を司るものであり、メモリバスＭＢを通じてワークメモリ２やＲＯＭ等３と接続し、ＰＣＩバスなどを通じて液晶表示制御手段４やカメラ制御手段８やシリアルバスインターフェース１０に接続している。また、ＣＰＵ１は、通信系バスを通じて図示しない通信手段と接続しており、通信相手の端末との間で音声信号や画像信号を送信又は受信するものである。
【００２４】
ワークメモリ２は、ＣＰＵ１による処理プログラムの実行に使用されるワーキングエリアであり、例えばＳＤＲＡＭ等が該当し、またＲＯＭ等３は、処理プログラムや処理に必要な固定データを記憶するものであり、例えばＲＯＭやフラッシュメモリ（ＦＬＡＳＨ）等が該当する。また、ＲＯＭ等３には、電源周波数判別プログラム３ａ及び電源周波数判定データベース３ｂが格納されている。
【００２５】
そして、例えば、ＣＰＵ１が、ワーキングメモリ２をワーキングエリアとして、ワークメモリ２やＲＯＭ等３に格納されている固定データや処理に必要なデータを用いて、ＲＯＭ等３に格納されている処理プログラムを実行することにより、ＩＰ−ＴＶ電話機の機能が実現される。
【００２６】
液晶表示制御手段４は、ＣＰＵ１の制御の下、通信相手の端末から受信した画像信号をＣＰＵ１から受け取り、液晶表示手段５に対して画像表示処理を制御するものである。液晶表示制御手段４は、デコーダ（ＤＥＣ）部４１とＬＣＤコントローラ４２を有する。デコーダ（ＤＥＣ）部４１は、ＣＰＵ１から与えられた画像信号を所定の復号処理により復号し、ＬＣＤコントローラ４２に与えるものである。
【００２７】
液晶表示手段５は、液晶表示制御手段４の制御の下で画像を表示するものであり、既存の液晶表示手段を適用することができ、一般に、ディスプレイ駆動回路、液晶パネル、バックライト等を有して構成される。なお、ディスプレイ駆動回路の駆動方式は、特に限定されるものではないが、一般にドットマトリックス方式を適用でき、このドットマトリックス方式として、例えば、スタティック駆動方式や、ダイナミック駆動方式（パッシブマトリックス方式、アクティブマトリックス方式）を適用することができる。
【００２８】
デジタル−アナログコンバータ（ＤＡＣ）６は、シリアルバスインターフェース１０を通じてＣＰＵ１から受け取ったバックライト輝度制御信号（デジタル信号）をアナログ信号に変換してインバータ７に与えるものであり、インバータ７は、ＤＡＣ６からのバックライト輝度制御信号（アナログ直流信号）を交流信号に変換して液晶表示手段５のバックライトに供給するものである。これにより、ＣＰＵ１制御の下でバックライトの輝度を調整することができる。
【００２９】
カメラモジュール９は、撮影した画像を電気信号に変換し、その変換した電気信号（画像データ）をカメラ制御手段８に与えるものである。ここで、カメラモジュール９としては、被写体を撮影する際に、入射する周囲の光量を判断する光量判断機能を備えており、その判断した光量に基づいて撮影能力を制御する撮影能力制御機能を有していれば広く適用することができ、例えばＣＭＯＳカメラやＣＣＤカメラを適用できる。なお、第１の実施形態では、ＣＭＯＳカメラを適用した場合を例に挙げて説明する。
【００３０】
また、カメラモジュール９は、電源周波数に干渉して入力画像のフレームに生じたフリッカを除去するフリッカ除去機能部９１を有する。このフリッカ除去機能部９１は、例えば、ＣＭＯＳカメラが撮像した画像を取り込む画像取込機能と、ＣＰＵ１により判別された電源周波数の判別結果を受け取り、その判別結果に基づいてフリッカ周波数を割り出すフリッカ周波数割り出し機能と、入力画像データからフリッカ周波数の周波数成分を抽出するフィルタ機能とを少なくとも有する。
【００３１】
カメラ制御手段８は、ＣＰＵ１制御の下で、カメラモジュール９の動作を制御するものであり、エンコーダ（ＥＮＣ）部８１とカメラコントローラ８２とを有する。カメラコントローラ８２は、カメラモジュール９の動作を制御するものであり、カメラモジュール９からの画像データをエンコーダ部８１に与えるものである。エンコーダ８１は、カメラコントローラ８２からの画像データを所定の符号化処理を施してＣＰＵ１に与えるものである。
【００３２】
シリアルバスインターフェース１０は、シリアスバスのインタフェースである。
【００３３】
（Ａ−２）第１の実施形態の動作
続いて、第１の実施形態のＩＰ−ＴＶ電話機における電源周波数の判別処理を、図面を参照しながら詳細に説明する。
【００３４】
以下で説明する第１の実施形態に係る電源周波数の判別処理はＩＰ−ＴＶ電話機の初期設定の際に行なうものとする。すなわち、ＩＰ−ＴＶ電話機をネットワークに接続し、所定の初期設定を行なう際に、ＩＰ−ＴＶ電話機に設定された電話番号に基づいて自動的に電源周波数を判別する。
【００３５】
まず、ＩＰ−ＴＶ電話機の電源をオンにし（Ｓ１１）、当該ＩＰ−ＴＶ電話機の初期設定である所定のイニシャル処理を行なう（Ｓ１２）。
【００３６】
次に、当該ＩＰ−ＴＶ電話機に割り当てられている電話番号の設定がなされているか否かを判定する（Ｓ１３）。このとき、ＩＰ−ＴＶ電話機に電話番号が設定されていない場合、所定の電話番号設定の処理シーケンスに移行し、電話番号の設定処理がなされる（Ｓ１４）。
【００３７】
また、Ｓ１３において電話番号の設定がなされている場合、又はＳ１４により電話番号の設定が完了すると、Ｓ１５に進み、電源周波数判定データベース３ｂを参照しながら、当該ＩＰ−ＴＶ電話機に設定されている電話番号に基づいて電源周波数が判別される（Ｓ１５）。
【００３８】
ここで、図３は、電源周波数判定データベース３ｂの構成例を示す。図３に示すように、電源周波数判定データベース３ｂは、市外局番が電源周波数の違いに応じて分類されているものである。
【００３９】
例えば、市外局番「０１１」が割り当てられている地域は北海道札幌市等の地域であり、この札幌市等の地域の電源周波数は５０Ｈｚであるから、市外局番「０１１」は電源周波数「５０Ｈｚ」に分類される。また例えば、市外局番「０２６」が割り当てられている地域は長野県飯田市等の地域であり、この飯田市等の地域の電源周波数は６０Ｈｚであるから、市外局番「０２６」は電源周波数「６０Ｈｚ」に分類される。
【００４０】
なお、図３では、電源周波数判定データベース３ｂが電源周波数の地域を市外局番で分類したものを示すが、５０Ｈｚと６０Ｈｚの境界線付近の地域については、市外局番に市内局番も含んだ番号で分類するようにしてもよい。これにより、境界線付近の地域の電源周波数をより正確に判別することができる。
【００４１】
電源周波数判定データベース３ｂを参照して、ＩＰ−ＴＶ電話機に設定された電話番号に基づいて電源周波数が判別されると、その判別された電源周波数に応じてフリッカ周波数が割り出され（Ｓ１６）、カメラモジュール９のフリッカ除去機能部９１に対してフリッカ除去用の周波数を設定する（Ｓ１７）。
【００４２】
その後、カメラモジュール９では、入力画像に対してフリッカ除去モードによるカメラ動作が行なわれる（Ｓ１８）。すなわち、入力した画像信号はフリッカ除去機能部９１により設定された周波数成分が除去され、フリッカ成分が除去された画像信号がＣＰＵ１に与えられる。
【００４３】
（Ａ−３）第１の実施形態の効果
以上のように、第１の実施形態によれば、電源周波数データベース３ｂを用いて、ＩＰ−ＴＶ電話機に設定された電話番号に基づいて、当該ＩＰ−ＴＶ電話機が設置された地域の電源周波数を判別することができる。その結果、カメラモジュール９のフリッカ除去機能部９１により電源周波数に応じてフリッカ成分を除去することができるので、画像撮像能力の劣化を抑えることができる。
【００４４】
（Ｂ）他の実施形態
（Ｂ−１）第１の実施形態では、地域識別情報の例として電話番号を用いた場合を説明したが、装置、機器等の設置地域を特定することができる情報であれば、電話番号に限定されず、例えば、郵便番号、住所、ＦＡＸ番号、緯度経度情報等も電話番号を用いた場合と同様に適用することができる。
【００４５】
（Ｂ−２）第１の実施形態では、電源周波数判定データベース３ｂがＲＯＭ等の記憶手段に格納されているものとして説明したが、ネットワークを通じて接続可能であれば、ネットワーク上の外部サーバ等に格納されるものとしてもよい。これにより、ネットワークを通じて、複数のＩＰ−ＴＶ電話機が共通に使用することができ、ＩＰ−ＴＶ電話機の記憶手段の記憶容量を軽減させることもできる。
【００４６】
また、本発明の電源周波数判別システムを実現するサーバがネットワーク上に配置され、第１の実施形態で説明した機能を実現するものとしてもよい。さらに、この場合、電源周波数判別プログラム３ａを実行するサーバと、電源周波数判定データベースを有するサーバとがネットワーク上に分散配置され、第１の実施形態で説明した機能を実現するものとしてもよい。
【００４７】
（Ｂ−３）第１の実施形態では、ＩＰ−ＴＶ電話機におけるフリッカ除去機能部９１のフリッカ除去を図るために電源周波数を判別する場合の適用を説明したが、ＩＰ−ＴＶ電話機のフリッカ除去機能だけでなく、電源周波数の違いによって性能が異なる装置、機器等に広く適用することができる。例えば、供給される電源周波数の違いによって性能が異なる誘導電動機を有する家庭用電気機器（例えば、冷蔵庫、エアーコンディショナー等）において、誘導電動機に対して電源周波数の設定する際に本発明の電動周波数判別装置を適用することができる。また例えば、電源周波数によって制御パラメータの設定を変更する必要がある電力制御装置や位相制御装置などに対しても適用することができる。
【００４８】
（Ｂ−４）図４は、第１の実施形態で説明した電源周波数判別機能を有するＩＰ−ＴＶ電話機を利用して、ネットワークに接続する家庭用電気機器に対して、ＩＰ−ＴＶ電話機が判別した電源周波数を通知するシステムの構成例を示す。
【００４９】
図４では、複数の家庭用電気機がネットワークを通じて接続している、いわゆる家電ネットワークの構成要素としてＩＰ−ＴＶ電話機２１を備える。なお、図４では家電ネットワークを構成する家庭用電気機器として、例えば、冷蔵庫２２、エアーコンディショナー２３、洗濯機２４などとした場合を示す。
【００５０】
図４において、ＩＰ−ＴＶ電話機２１が電源周波数を判別すると、ＩＰ−ＴＶ電話機が、電源周波数を判別し、その電源周波数の判別結果を含む情報をネットワークを通じて各家庭用電気機器に通知する。そして、各家庭用電源機器は、受信した電源周波数の判別結果に基づいて電源周波数の設定等をする。
【図面の簡単な説明】
【００５１】
【図１】第１の実施形態のＩＰ−ＴＶ電話機の主な内部構成を示すブロック図である。
【図２】第１の実施形態の電源周波数判別処理の動作を示すフローチャートである。
【図３】第１の実施形態の電源周波数判定データベースの構成を説明する説明図である。
【図４】ＩＰ−ＴＶ電話機を構成要素として有するネットワークの構成を示す構成図である。
【符号の説明】
【００５２】
１…ＣＰＵ、２…ワークメモリ、３…ＲＯＭ等、３ａ…電源周波数判別プログラム、３ｂ…電源周波数判定データベース、４…液晶表示制御手段、５…液晶表示手段、６…ＤＡＣ（デジタル−アナログ制御手段）、７…インバータ、８…カメラ制御手段、９…カメラモジュール、９１…フリッカ除去機能部。
【図１】
2008060698.tif 000003
【図２】
2008060698.tif 000004
【図３】
2008060698.tif 000005
【図４】
2008060698.tif 000006